(57)【要約】　　　（修正有）【課題】睡眠中に唇が開かないように固定する事により鼻呼吸へと矯正誘導していびきの抑制や口内の乾きを解消する。又、長期間繰り返し継続使用することで鼻口内の筋力が強化されてマスクを使用しなくとも自然に鼻呼吸ができるようになり、安全かつ快適な睡眠が約束される健康マスクを提供する。【解決手段】伸縮バンド本体１の口元から唇を露出させて、呼吸矯正マスクの内側１２の伸縮性を利用して唇を上下に軽く押さえながら面ファスナー４の箇所に１１の面ファスナーを５の箇所に１０の面ファスナーをそれぞれ固定して、唇が開かないようにした。【選択図】　図１
0003097348.tif 000002
【実用新案登録請求の範囲】
【請求項１】
伸縮バンド本体１の口元２と鼻元３をくり貫き、口と鼻を別々に露出させてそれぞれの上下に４，５，６となるようにマジックテープを取付け、呼吸矯正マスク８を睡眠時にマスクの内側に取付けたマジックテープ１０と１１を伸縮バンド本体１のマジックテープ４と５の箇所に取付けた脱着式呼吸矯正マスク。
【請求項２】
呼吸矯正マスク８の内側を伸縮性のゴム状又はウレタン系の伸縮材１２を取付けてその弾力性を利用し、唇の上下を軽く押さえマジックテープ１０，１１で固定した脱着式呼吸矯正マスク。
【請求項３】
脱着式養護マスク９をおわん型にして奥行きを取り、唇に直接密着しないようにして内側のマジックテープ１３と１４を伸縮バンド本体の４と６に取付けるようにした養護マスクである。
【請求項４】
伸縮バンド本体１の両端にマジックテープ７を取付けて、装着をフリーに出来るようにして、呼吸矯正マスク８を養護マスク９を自由に取替え可能にした脱着式呼吸矯正マスクである。
【考案の詳細な説明】
【０００１】
【考案の属する技術分野】
この考案は、バンド本体１に伸縮性素材を使用する事で装着サイズをフリーにして、口元２と鼻元３をくり貫いてそれぞれを別々に露出させてマジックテープ７にて固定して、呼吸矯正マスク８と養護マスク９をそれぞれの用途で使い分けの出来るようにした脱着式呼吸矯正マスクである。
【０００２】
【従来の技術】
（イ）従来、ガーゼの両端にゴムひもを通して耳に引っ掛ける　　　　　　　　　方々があった。
（ロ）鼻の穴の中央にプラスチックの輪を挟む方々があった。
（ハ）鼻の周囲をバンソウコウの中に平バネを入れて外側にはね返る力を利用して鼻孔を広げようとしたものがあった。
【０００３】
【考案が解決しようとする課題】
これは次のような欠点があった。
（イ）一定の長さのゴムひもを両耳にかけて使用する方々があったが、ひものサイズ調整が面倒臭く、耳の裏側がゴムで引っ張られて痛くなりがちであった。
（ロ）使用中にガーゼが息によって湿気を帯びて口にまとわりつき、息苦しくなったりした。
（ハ）プラスチックの鼻輪や板バネ式のバンソウコウは睡眠中には効果がない。なぜならイビキをかく人は基本的に睡眠中は口で息をしているからである。
本考案はこれらの欠点を除く為に成されたものである。
【０００４】
【課題を解決するための手段】
口元２と鼻元３をくり貫いた伸縮性のバンド本体１を口と鼻をそれぞれ露出させてマジックテープ７で顔に固定させ、睡眠時には呼吸矯正マスク８を内部の伸縮性素材１２を引き伸ばしてマジックテープ１０と１１の箇所を伸縮バンド本体１の口元２の上下５と６のマジックテープに唇が開かないように固定する。養護マスクにおいては口とマスクの間に空間を維持する事で唇とマスクの間のべたつきを解消した。
【０００５】
【考案の実施の形態】
以下、本考案の実施の形態について説明する。
（イ）伸縮バンド本体１を口元２、鼻元３とそれぞれくり貫き　　　　　　　　、口元の上下に５と６のマジックテープをそれぞれ取付ける。
又本体の両端にもマジックテープ７を取付ける。
（ロ）脱着式呼吸矯正マスク８の内側に伸縮性のゴム系又はウレタン系の素材１２を組み合わせて、その上下にマジックテープ１０と１１を取付ける。
（ハ）取替え用養護マスク９をおわん型にして内部に空間を持たせてマジックテープ１３，１４を取付ける。
本考案を使用するときは、いびきや口の中の乾きを抑制する場合には呼吸矯正マスク８を使用し、防寒や風邪の予防に使用する場合は養護マスク９をしようすることで両方使い分ける事ができる。
【０００６】
【考案の効果】
本案は以上のような構造で伸縮マスク本体１を自在に調整して顔に装着し、別々に露出した口と鼻に呼吸矯正マスク８と養護マスク９を用途に応じて使い分ける事ができる。呼吸矯正マスク８においては、睡眠中に口が開くのを押さえる事により口による呼吸を鼻呼吸へと誘導する事によりいびきの抑制と口の中の極度な乾きを防止して潤いを持たせ、安眠効果にも役立つ事ができる。
養護マスク９においては、寒い日の外出時の防寒用としても風邪を引いた時の外気の防御にも適用できて、従来のマスクのようなべたつきや緩みを解消してくれる吸汗性、速乾性、通気性、耐久性の優れた効果を併せ持つ脱着式呼吸矯正マスクである。
なお、養護マスク９においては色彩をカラフルにする事でファッション性を持たせることができ、日常的に使用することもできる。
【図面の簡単な説明】
【図１】本考案の呼吸矯正マスクの取付け実施例を示す斜視図である。
【図２】本考案の呼吸矯正マスクの斜視図である。
【図３】本考案の養護マスクの取付け実施例を示す斜視図である。
【図４】本考案の養護マスクの斜視図である。
【図５】本考案の伸縮バンド本体の表面からの斜視図である。
【図６】本考案の伸縮バンド本体の裏面からの斜視図である。
【符号の説明】
１　伸縮バンド本体　　　２　口元くり貫き
３　鼻元くり貫き　　　　４　口元下マジックテープ
５　口元上鼻元下マジックテープ
６　鼻元上マジックテープ
７　伸縮バンド本体両端マジックテープ
８　呼吸矯正マスク　　　９　養護マスク
１０　呼吸矯正マスク内部下マジックテープ
１１　呼吸矯正マスク内部上マジックテープ
１２　呼吸矯正マスク内部伸縮素材
１３　養護マスク内部下マジックテープ
１４　養護マスク内部上マジックテープ
【図１】
0003097348.tif 000003
【図２】
0003097348.tif 000004
【図３】
0003097348.tif 000005
【図４】
0003097348.tif 000006
【図５】
0003097348.tif 000007
【図６】
0003097348.tif 000008
【手続補正書】
【提出日】平成15年3月19日(2003.3.19)
【手続補正１】
【補正対象書類名】明細書
【補正対象項目名】全文
【補正方法】変更
【補正の内容】
【考案の詳細な説明】
【実用新案登録請求の範囲】
【請求項１】伸縮バンド本体１の口元２と鼻元３をくり貫き、口と鼻を別々に露出させてそれぞれの上下に４，５，６となるように面ファ　　　　　　　　スナーを取付け、呼吸矯正マスク８を睡眠時にマスクの内側に取付けた面ファスナー１０と１１を伸縮バンド本体１の面ファ　　　　　　　　スナー４と５の箇所に取付けた脱着式呼吸矯正マスク。
【請求項２】呼吸矯正マスク８の内側を伸縮性のゴム状又はウレタン系の伸縮材１２を取付けてその弾力性を利用し、唇の上下を軽く押さえ面ファスナー１０，１１で固定した脱着式呼吸矯正マスク。
【請求項３】脱着式養護マスク９をおわん型にして奥行きを取り、唇に直接密着しないようにして内側の面ファスナー１３と１４を伸縮バンド本体の４と６に取付けるようにした養護マスク。
【請求項４】伸縮バンド本体１の両端に面ファスナー７を取付けて、装着をフリーに出来るようにして、呼吸矯正マスク８を養護マスク９を自由に取替え可能にした脱着式呼吸矯正マスク。
【考案の詳細な説明】
【０００１】
【考案の属する技術分野】
この考案は、バンド本体１に伸縮性素材を使用する事で装着サイズをフリーにして、口元２と鼻元３をくり貫いてそれぞれを別々に露出させて面ファスナー７にて固定して、呼吸矯正マスク８と養護マスク９をそれぞれの用途で使い分けの出来るようにした脱着式呼吸矯正マスク。
【０００２】
【従来の技術】
（イ）従来、ガーゼの両端にゴムひもを通して耳に引っ掛ける方々があった。
（ロ）鼻の穴の中央にプラスチックの輪を挟む方々があった。
（ハ）鼻の周囲をバンソウコウの中に平バネを入れて外側にはね返る力を利用して鼻孔を広げようとしたものがあった。
【０００３】
【考案が解決しようとする課題】
これは次のような欠点があった。
（イ）一定の長さのゴムひもを両耳にかけて使用する方々があったが、ひものサイズ調整が面倒臭く、耳の裏側がゴムで引っ張られて痛くなりがちであった。
（ロ）使用中にガーゼが息によって湿気を帯びて口にまとわりつき、息苦しくなったりした。
（ハ）プラスチックの鼻輪や板バネ式のバンソウコウは睡眠中には効果がない。なぜならイビキをかく人は基本的に睡眠中は口で息をしているからである。
本考案はこれらの欠点を除く為に成されたものである。
【０００４】
【課題を解決するための手段】
口元２と鼻元３をくり貫いた伸縮性のバンド本体１を口と鼻をそれぞれ露出させて面ファスナー７で顔に固定させ、睡眠時には呼吸矯正マスク８を内部の伸縮性素材１２を引き伸ばして面ファスナー１０と１１の箇所を伸縮バンド本体１の口元２の上下５と６の面ファスナーに唇が開かないように固定する。養護マスクにおいては口とマスクの間に空間を維持する事で唇とマスクの間のべたつきを解消した。
【０００５】
【考案の実施の形態】
以下、本考案の実施の形態について説明する。
（イ）伸縮バンド本体１を口元２、鼻元３とそれぞれくり貫き、口元の上下に５と６の面ファスナーをそれぞれ取付ける。又本体の両端にも面ファスナー７を取付ける。
（ロ）脱着式呼吸矯正マスク８の内側に伸縮性のゴム系又はウレタン系の素材１２を組み合わせて、その上下に面ファスナー　　　　　　　　１０と１１を取付ける。
（ハ）取替え用養護マスク９をおわん型にして内部に空間を持たせて面ファスナー１３，１４を取付ける。
本考案を使用するときは、いびきや口の中の乾きを抑制する場合には呼吸矯正マスク８を使用し、防寒や風邪の予防に使用する場合は養護マスク９をしようすることで両方使い分ける事ができる。
【０００６】
【考案の効果】
本案は以上のような構造で伸縮マスク本体１を自在に調整して顔に装着し、別々に露出した口と鼻に呼吸矯正マスク８と養護マスク９を用途に応じて使い分ける事ができる。呼吸矯正マスク８においては、睡眠中に口が開くのを押さえる事により口による呼吸を鼻呼吸へと誘導する事によりいびきの抑制と口の中の極度な乾きを防止して潤いを持たせ、安眠効果にも役立つ事
ができる。
養護マスク９においては、寒い日の外出時の防寒用としても風邪を引いた時の外気の防御にも適用できて、従来のマスクのようなべたつきや緩みを解消してくれる吸汗性、速乾性、通気性、耐久性の優れた効果を併せ持つ脱着式呼吸矯正マスクである。
なお、養護マスク９においては色彩をカラフルにする事でファッション性を持たせることができ、日常的に使用することもできる。
【図面の簡単な説明】
【図１】本考案の呼吸矯正マスクの取付け実施例を示す斜視図である。
【図２】本考案の呼吸矯正マスクの斜視図である。
【図３】本考案の養護マスクの取付け実施例を示す斜視図である。
【図４】本考案の養護マスクの斜視図である。
【図５】本考案の伸縮バンド本体の表面からの斜視図である。
【図６】本考案の伸縮バンド本体の裏面からの斜視図である。
【符号の説明】
１　伸縮バンド本体　　　２　口元くり貫き
３　鼻元くり貫き　　　　４　口元下面ファスナー
　　　　　　　　５　口元上鼻元下面ファスナー
　　　　　　　　５　口元上鼻元下面ファスナー
　　　　　　　　６　鼻元上面ファスナー
　　　　　　　　７　伸縮バンド本体両端面ファスナー
　　　　　　　　８　呼吸矯正マスク　　　９　養護マスク
１０　呼吸矯正マスク内部下面ファスナー
　　　　　　　　１１　呼吸矯正マスク内部上面ファスナー
　　　　　　　　１２　呼吸矯正マスク内部伸縮素材
１３　養護マスク内部下面ファスナー
　　　　　　　　１４　養護マスク内部上面ファスナー
【手続補正２】
【補正対象書類名】図面
【補正対象項目名】全図
【補正方法】変更
【補正の内容】
【図１】
0003097348.tif 000009
【図２】
0003097348.tif 000010
【図３】
0003097348.tif 000011
【図４】
0003097348.tif 000012
【図５】
0003097348.tif 000013
【図６】
0003097348.tif 000014